(57)【特許請求の範囲】
【請求項１】
外郭方形枠状に構成された外枠と、前記外枠の前側開口域に合わせた方形状に形成されて前記外枠に開閉可能に取り付けられた前枠と、前記前枠に搭載された弾球遊技構成部材とを有した弾球遊技機において、
前記外枠における少なくとも左右いずれか一方の外側面に所定厚さの側面スペーサ板を取り付けて、前記弾球遊技機を前記外枠の外郭サイズより大きなサイズの収容部を有した設置枠台に取り付けることができるように構成されており、
左右いずれか一方の側縁部において前記前枠が前記外枠とヒンジ部材を介して開閉自在に連結され、他方の側縁部において前記外枠の内面に受け金具が取り付けられるとともに前記受け金具に係合ボルトが取り付けられており、
前記受け金具は、金属板材により形成されるとともに、前記外枠の内側面に固定された基部と、前記基部の端部に繋がって直角に折れ曲がって横に延びた連結部と、前記連結部の先端から直角に折れ曲がって前記基部と平行に延びた支持部とから構成され、
前記係合ボルトが、前記支持部から前記基部を貫通して前記受け金具に取り付けられ、
前記他方の側縁部において、前記前枠に設けられた施錠装置のフック部材が、前記支持部と前記基部に支持されて前記受け金具に取り付けられた状態の前記係合ボルトに係止されて前記前枠が前記外枠に閉鎖状態で保持され、
前記支持部と前記基部に支持されて前記受け金具に取り付けられた状態の前記係合ボルトの先端部は前記外枠の外側面に突出可能であり、前記係合ボルトのネジ部の先端部を前記外枠の外側面から外方に突出させるとともに前記側面スペーサ板に設けられた係合部に係合させて、前記外枠の外側面に前記側面スペーサ板を着脱自在に取り付け可能であることを特徴とする弾球遊技機の機枠体。
【請求項２】
前記外枠の前面左側において前記前枠がヒンジ結合されて開閉および着脱自在に取り付けられ、前記外枠の右側外面に前記側面スペーサ板が取り付けられるように構成され、
前記側面スペーサ板が前記外枠の右側外面に取り付けられた状態で、前記側面スペーサ板の前面側に位置する保護縁部が前記外枠の右側前面より前方に突出し、前記外枠に閉止状態で取り付けられた前記前枠の右側面が前記保護縁部により覆われ、
前記前枠が開放された状態で内方に露出する前記保護縁部の左内側面が前記施錠装置の位置合わせマーク等の表示部として用いられることを特徴とする請求項２に記載の弾球遊技機の機枠体。
【発明の詳細な説明】
【０００１】
【発明の属する技術分野】
本発明は、パチンコ機に代表されるような弾球遊技機の機枠体に関し、さらに詳しくは、外側側面にスペーサ板を着脱することにより外形サイズの異なる弾球遊技機を構成するようになった機枠体に関する。
【０００２】
【従来の技術】
従来、この種の遊技機では、縦長の外郭方形枠状に形成された外枠がもっぱら外郭保持枠とされ、この外枠の前側開口域に合わせた方形状に形成されて外枠に開閉可能に取り付けられる前枠が弾球遊技構成部材の搭載用の搭載枠とされ、これら両枠（外枠および前枠）が機体全体を保持する機枠体を構成するようになっている。その上で、搭載枠としても機能する前枠に、各種の弾球遊技構成部材が搭載されて弾球遊技機が構成される。
【０００３】
この弾球遊技構成部材としては、例えば、ガラス扉付き窓枠、遊技盤用のセット保持枠、上下の球受け皿、打球発射装置および球送り器具、球処理機構部を有する裏機構セット盤等を含む多くの各種遊技構成部材並びに関連付属器具、部品、さらには機種に応じたゲーム内容を持つ遊技盤等があり、これらが前枠の前後各部位に搭載セットされて実質的な弾球遊技機本体が構成される。このように弾球遊技構成部材が搭載されて実質的に弾球遊技機本体を構成する前枠を、外郭保持枠となる外枠に組み合わせて弾球遊技機が構成され、一台毎に取り扱い得るようになっている。そして、パチンコホールなどでの遊技機の設置に際しては、通称「遊技島」と呼ばれる設置枠台の収容部に、まず外枠を所定傾斜で固定保持し、遊技機本体（すなわち、弾球遊技構成部材が搭載された前枠）を外枠に組み付けるようになっている。
【０００４】
ところで、弾球遊技業界では、上記「遊技島」における設置台枠の収容部のサイズが地域によって異なっており、大別すれば、西日本地域で多く採用されている通称「関西枠」と、東日本地域で多く採用されている通称「関東枠」との二種類があり、「関西枠」が「関東枠」より大きな収容部サイズを有している。このため、弾球遊技機の外枠はサイズの小さな「関東枠」の収容部に対応した外形サイズに作られ、これを「関西枠」に取り付けるときには、メーカでの製造段階において、外枠にスペーサ板を釘等で打ち付け、外郭サイズを関西枠サイズに合う大きさにしてから出荷されている。
【０００５】
【発明が解決しようとする課題】
しかしながら、このようにスペーサ板を釘等で打ち付ける方法では、注文の変更や納入先の変更等により一度取り付けたスペーサ板を取り外すような場合に、スペーサ板を取り外すことに多大な労力を要し、また、釘抜き後のスペーサ板および外枠に釘抜き跡のような傷が発生し、外枠およびスペーサ板を新品として用いることができなくなるという問題があった。特に、スペーサ板は遊技機本体の種類に関係なく共通して同一のものを用いることができるものであり、遊技機を交換するときにスペーサ板を再利用できれば、資源の有効活用ができるのであるが、上記のように釘抜き跡（穴）が残るため再利用が難しいという問題がある。
【０００６】
このようなことから、実開昭６３−１５６６７９号公報には外枠にスペーサ板をボルト・ナットで締め付けて取り付けることが開示されている。このような方法を用いれば、外枠・スペーサ板に傷などを与えることは少なくなるが、別途ボルト・ナットが必要であり、スペーサ板に付属させてボルト・ナットを管理する必要があるため余分な管理が必要となるとともにスペーサ板の取り付け作業時にボルト・ナットを紛失するおそれがあるという問題がある。
【０００７】
また、遊技機を「遊技島」に設置する際には、遊技機の外枠の上下を複数本の釘等により打ち付けて「遊技島」に固定するようになっているため、たとえスペーサ板がボルト・ナットにより締結されていても、この固定用の釘が外枠の底面に締結されたスペーサ板を貫通して打ち付けられてスペーサ板に釘打ち跡（穴）が残り、このスペーサ板を再利用することが難しくなるという問題もある。
【０００８】
ところで、スペーサ板は外枠の側面にこれに結合されて設けられるものであり、外枠のサイズに合わせて作られて取り付けられるが、この状態のまま「関西枠」に取り付けた場合、スペーサの前端面部に空間が発生する。この空間は外枠の前面側に取り付けられた前枠の側面に発生し、例えば、前枠の施錠装置の側面に空間が発生する。このため、この空間から前枠の施錠装置に対するいたずら、不正操作等が行われる可能性がある。
【０００９】
本発明はこのような問題に鑑みたもので、ボルトナットを別途用意することなく外枠にスペーサ板を着脱可能であり、且つのこの着脱作業を容易に行うことができるような構成の機枠体を提供することを目的とする。
【００１０】
本発明はさらに、スペーサ板に釘打ち跡等を残すことがなくスペーサ板を外枠に着脱自在なように構成して、スペーサ板の再利用を簡単に行うことができるようにすることを目的とする。
【００１１】
【課題を解決するための手段】
このような目的達成のため、本発明に係る機枠体は、外郭方形枠状に構成された外枠と、外枠の前側開口域に合わせた方形状に形成されて外枠に開閉可能に取り付けられた前枠と、前枠に搭載された弾球遊技構成部材とを有して構成される弾球遊技機において、外枠における少なくとも左右いずれか一方の外側面に所定厚さの側面スペーサ板を取り付けて、弾球遊技機を外枠の外郭サイズより大きなサイズの収容部を有した設置枠台（例えば、通称「関西枠」）に取り付けることができるように構成される。さらに、左右いずれか一方の側縁部において前枠が外枠とヒンジ部材を介して開閉自在に連結され、他方の側縁部において外枠の内面に受け金具が取り付けられるとともに受け金具に係合ボルトが取り付けられており、受け金具は、金属板材により形成されるとともに、外枠の内側面に固定された基部と、基部の端部に繋がって直角に折れ曲がって横に延びた連結部と、連結部の先端から直角に折れ曲がって基部と平行に延びた支持部とから構成され、係合ボルトが、支持部から基部を貫通して受け金具に取り付けられる。そして、他方の側縁部において、前枠に設けられた施錠装置のフック部材が、支持部と基部に支持されて受け金具に取り付けられた状態の係合ボルトに係止されて前枠が外枠に閉鎖状態で保持され、支持部と基部に支持されて受け金具に取り付けられた状態の係合ボルトの先端部は外枠の外側面に突出可能であり、係合ボルトのネジ部の先端部を外枠の外側面から外方に突出させるとともに側面スペーサ板に設けられた係合部に係合させて、外枠の外側面に側面スペーサ板を着脱自在に取り付け可能である。
【００１２】
このような構成の弾球遊技機の機枠体によれば、係合ボルトは受け金具に取り付けられてそのネジ部先端が外枠の外側面に突出するように構成されており、このネジ部先端を側面スペーサ板に設けられた係合部と係合させれば外枠に側面スペーサ板を取り付けることができるため、側面スペーサ板の着脱が非常に簡単である。さらに、受け金具に取り付けられた係合ボルトを用いるので、従来のようにボルト・ナットを別途管理する必要がなくボルト・ナットを紛失したりするという問題はない。また、このように係合ボルトを係合雌ネジと係合させるだけで側面スペーサ板の着脱を行う構成であるため、側面スペーサ板の取り付けに釘等を使用する必要がなく、側面スペーサ板の再利用が容易である。また、フック部材は係合ボルトに係止されることにより受け金具に係止され、前枠が外枠に閉鎖状態で保持されるように構成されており、この係合ボルトは、側面スペーサ板の取り付け保持とフック部材との係合による施錠保持という二つの機能を果たすようになっている。
【００１７】
さらに、外枠の前面左側において前枠がヒンジ結合されて開閉および着脱自在に取り付けられ、外枠の右側外面に側面スペーサ板が取り付けられるように構成され、側面スペーサ板が外枠の右側外面に取り付けられた状態で、側面スペーサ板の前面側に位置する保護縁部が外枠の右側前面より前方に突出し、外枠に閉止状態で取り付けられた前枠の右側面が保護縁部により覆われるように構成するのが好ましい。このようにすれば、側面スペーサ板を取り付けた遊技機をいわゆる「関西枠」に取り付けたときに前枠の側面に保護縁部が位置し、前枠側面から施錠装置等に対していたずら、不正操作が行われることを防止できる。
【００１８】
さらに、この構成において、前枠が開放された状態で内方に露出する保護縁部の左内側面が施錠装置の位置合わせマーク等の表示部として用いられる。
【００２０】
【発明の実施の形態】
以下、図面を参照して本発明の好ましい実施形態について説明する。図１および図２に本発明に係る弾球遊技機の代表的実施形態としてパチンコ機ＰＭを示している。このパチンコ機ＰＭは、機枠又は機体として所定の外郭方形枠サイズに構成された固定保持用の外枠３０の前側に、これに合わせた方形枠サイズに構成された前枠２が、互いの正面左側上下部に配設されたヒンジ機構３ａ，３ｂ及び正面右側内部に配設された施錠装置４を利用して、開閉（片持ち横開き）及び着脱が可能に組付けられて閉鎖状態に保持される。
【００２１】
施錠装置４は前枠２の右端内部に設けられたフックを外枠３０の内側面に設けられた受け金具に係止させるように構成され、フックを受け金具と係止させる方向に付勢する施錠バネを有している。このため、前枠２が外枠３０の前面開口領域を覆って閉鎖されたときに、フックが受け金具に係止するとともに施錠バネに付勢されて係止状態のまま保持される。この施錠の解除は前枠２の前面端部に設けられた鍵穴４ａに所定のキーを差し込んでキーを時計回りに回して行うようになっており、これによりフックが施錠バネに抗して解除方向に移動されて受け金具との係止が解除される。なお、キーを反時計回りに回すと前枠２とガラス扉５との施錠を解除してガラス扉５を開放することができる。
【００２２】
上記前枠２の各部に必要な遊技構成部材として、前枠２の前側面域に合わせた方形枠サイズの開閉自在なガラス扉（ガラス窓ともいう）５、上、下の球皿７ａ，７ｂ及び打球発射ハンドル８等が夫々装備される。遊技構成部材としてはさらに、パチンコゲームを展開し得る遊技盤１０が、前枠２の収容面域に対して水平姿勢・位置の縦向きで、前枠２と一体に構成された内枠（図示せず）により着脱交換可能にセット保持されて、前面の遊技領域１１を前記ガラス扉５の正面に臨ませている。
【００２３】
遊技盤１０の前面はガラス扉５によって覆われ、ガラス扉５の矩形状開口部に取り付けられた透明ガラス板との間に位置して遊技盤１０の前面に遊技領域１１が形成されている。なお、遊技領域１１は、遊技盤１０における盤前面のレール１５の内側に、各種の遊技部品（入賞成立発生する大小の入賞具や図柄表示装置を含む）と多数本の遊技釘との配置設定に基づいて設けられている。さらに、前枠２の裏側には、予備賞球用のタンク２１および整列部材２２、受電・入出力用のターミナル基板２３、球寄せカバー２４、制御基板２５、払い出し機構２６等を備えたこれも遊技構成部材となる裏機構が装備されている。
【００２４】
このようにして構成されるパチンコ機ＰＭの外形サイズは外枠３０の外形サイズにより定まるが、一般的に外枠３０は、いわゆる「関東枠」と称される設置枠台の収容部に対応したサイズとなるように作られている。ここで図３に、遊技構成部材が搭載されて実質的にパチンコ機本体部を構成する前枠２と、この前枠２が組み付けられる外枠３０とを示しており、前枠２は外枠３０の前面側を覆うように取り付けられる。なお、外枠３０は図示のように、木材や樹脂材等で成形加工された上枠板３１、左枠板３２、右枠板３３および下枠板３４を矩形状に結合して作られており、下枠板３４は外枠底面を形成する底面板３５と前面側に位置する幕板３６とから構成される。右枠板３３の内側側面には、施錠装置４の構成部品となる一対の受け金具４０が上下に離れて設けられている。
【００２５】
このような構成の外枠３０は「関東枠」に合わせて作られた外形サイズを有し、図３（Ｂ）に示すように、幅Ｗｔで高さＨｔの大きさを有する。一方、「関西枠」に取り付けられるようにするには、図３（Ｂ）において二点鎖線で示すように、外形サイズを幅Ｗｓ（＞Ｗｔ）で高さＨｓ（＞Ｈｔ）にする必要がある。このため、「関東枠」に合わせて作られた外枠３０の左右いずれか一方の側面（本実施形態では右枠板３３の外側面）と上下いずれかの面（本実施形態では底面板３５の下面）にスペーサ板を取り付けて「関西枠」に対応する外形サイズのパチンコ機を製造し、ユーザに出荷するようにしている。
【００２６】
そこで、図４に示すように、外枠３０の右枠板３３の外側面に厚さｔ１（＝Ｗｓ−Ｗｔ）の側面スペーサ板５０を着脱自在に取り付け、底面板３５の下面に厚さｔ２（＝Ｈｓ−Ｈｔ）の底面スペーサ板７０を着脱自在に取り付けることにより「関西枠」に取り付け可能な外形サイズのパチンコ機を作っている。なお、側面スペーサ板５０の高さ寸法はＨｔで、底面スペーサ板７０の左右幅寸法はＷｓに作られ、図４（Ｂ）に示すように側面スペーサ板５０の下端が底面スペーサ板７０の上に位置するようにして組み付けられる。
【００２７】
これら側面スペーサ板５０および底面スペーサ板７０をそれぞれ右枠板３３および底面板３５に着脱自在に取り付けるための着脱機構はその構成が異なるため、まず、底面スペーサ板７０を底面板３５の下面に取り付ける着脱機構について説明する。
【００２８】
この着脱機構の第１の実施形態を図５（Ａ）および図６に示しており、ここに示すように、底面板３５には一対の係合口４５，４５が貫通形成されており、底面スペーサ板７０の上面には一対の係合子７１，７１が固設されている。底面スペーサ板７０にはさらに左右に延びる細長い釘逃げ開口７８が貫通形成されている。底面板３５に形成される係合口４５は左右に所定間隔を置いて形成され、それぞれ幅広の大開口４６および幅狭の小開口４７を有してＴ字状の貫通開口に形成されている。一方、底面スペーサ板７０に設けられた係合子７１は、角柱状の基部７２と、基部７２の先端側において二股状になった一対の係止アーム部７３，７３と、各係止アーム部７３において側方に庇状に突出した係止突起部７４，７４とから構成され、図７および図８に示すように、基部７２がネジ７７により底面スペーサ板７０に結合固定されている。
【００２９】
基部７２および左右一対の係止アーム部７３，７３の幅寸法ａ１は小開口４７の幅寸法Ａ１より僅かに小さく、左右一対の係止突起部７４，７４の先端部間の幅寸法ａ２は大開口４６の幅寸法Ａ２より僅かに小さく設定されている。
【００３０】
このため、図７および図８から良く分かるように、係合子７１を大開口４６内に突入させて底面スペーサ板７０を底面板３５の下面に接触させることができ、このとき係止突起部７４，７４は底面板３５の上面側に突出する。さらに、この状態のまま底面スペーサ板７０を長手方向にスライド移動させて係合子７１を小開口４７内に突入させることができ、このとき係止突起部７４，７４は底面板３５の上面側に突出したまま小開口４７の上面側に覆い被さって、底面スペーサ板７０を底面板３５の下面に接触した状態で係止保持させる。また、これと逆の操作を行うだけで底面スペーサ板７０を底面板３５の下面から簡単に取り外すことができる。このように底面スペーサ板７０の取り付けおよび取り外し操作を、手もしくは指作業のみにより（工具や締結具を用いることなく）非常に簡単に行うことができる。
【００３１】
図８には、「関西枠」と称される設置台枠９５（いわゆる遊技島）に、底面スペーサ板７０が上記のように取り付けられた外枠３０を固定する構成を示している。ここでは、底面板３５が釘９０により設置台枠９５に打ち付けられて外枠３０が設置台枠９５に固定される。このように釘９０により外枠３０を設置台枠９５に打ち付けるときに、図７からもよく分かるように、釘９０は底面スペーサ板７０に形成された釘逃げ開口７８を通る位置において底面板３５に打ち付けられる。このため、釘９０は釘逃げ開口７８を通って設置台枠９５に打ち付けられ、底面スペーサ板７０には釘９０による傷もしくは釘穴跡が残ることがなく、底面スペーサ板７０を再利用することが可能となる。なお、このように固定された外枠３０に遊技構成部材が装備されて実質的にパチンコ機本体を構成する前枠２が着脱自在且つ開閉自在に取り付けられる。
【００３２】
上記のように係合口に係合子を係合させて底面スペーサ板７０を底面板３５に着脱自在に取り付けているが、このように底面スペーサ板を底面板に着脱する構成の異なる実施形態について以下に説明する。
【００３３】
まず、図９および図１０に第２の実施形態を示しており、ここでは底面板３５に左右に離れて一対の係合口１４５が形成されており、この係合口１４５に係止される一対の係合子１７１が底面スペーサ板７０に左右に離れて固設されている。係合口１４５は、矩形状の貫通開口１４６と、この貫通開口１４６の左右において底面板３５の外側面に形成された凹部１４７，１４７とからなる。係合子１７１は、平板状の基部１７２と、基部１７２から二股状になって突出する一対の係止アーム部１７３，１７３と、各係止アーム部１７３の先端部においてそれぞれ側方に庇状に突出するテーパ状に形成された各一対の係止突起部１７４，１７４とから構成される。基部１７２の左右には雌ネジ部１７５，１７５が形成されており、図１０に示すように、底面スペーサ板７０に貫通形成されたネジ孔７０ｄに挿入されたネジ１７７が雌ネジ部１７５に形成された雌ネジと螺合して底面スペーサ板７０に係合子１７１が結合固定されている。
【００３４】
係合子１７１の左右一対の係止アーム部１７３，１７３は弾性変形可能でありその幅寸法は貫通開口１４６とほぼ同一もしくは僅かに小さく形成されている。このため、係合子１７１を貫通開口１４６内に挿入すると係止突起部１７４のテーパ面が貫通開口１４６に当接して内方に押され、左右の係止アーム部１７３，１７３が弾性変形して内方に撓み、係止突起部１７４を貫通開口１４６内に押し込むことができる。そして、係止突起部１７４が貫通開口１４６を通って底面板３５の上面側に突出すると係止アーム部１７３に対する内方への押圧力が解放され、外側に広がって元の形状に戻り、係止突起部１７４が貫通開口１４６の上側に覆い被さって、底面スペーサ板７０を底面板３５の外側面に接触した状態で係止保持させる。なお、このとき、係合子１７１の基部１７２の左右に形成された雌ネジ部１７５は係合口１４５の凹部１４７内に受容される。
【００３５】
このようにして底面板３５の下面に接合して取り付けられた底面スペーサ板７０を底面板３５から取り外すには、左右の係止突起部１７４，１７４を内側に押して係止アーム部１７３，１７３を弾性変形させ、係止突起部１７４，１７４を貫通開口１４６内に押し込んで底面スペーサ板７０を外方に引っ張れば、これを簡単に取り外すことができる。このように底面スペーサ板７０の取り付けおよび取り外し操作を、手もしくは指作業のみにより（工具や締結具を用いることなく）非常に簡単に行うことができる。
【００３６】
なお、図１２（Ｂ）には上記係合子１７１の変形例となる係合子１７１′を示している。この係合子１７１′は係止アーム部１７３に対する基部１７２の延びる方向および雌ネジ部１７５の形成位置が９０度回転した位置にあるということを除けば同一の機能を有する部材であり、同一機能部分に同一番号を付してその説明は省略する。また、第２の実施形態においても、底面スペーサ板７０に、上記第１の実施形態の場合と同様に釘逃げ開口を設け、外枠３０を設置枠台に釘打ちして固定するときに底面スペーサ板７０に釘打ち穴が形成されないようにするのが好ましい。
【００３７】
次に、本発明に係る第３の実施形態について図１１〜図１３を参照して説明する。この実施形態では底面板３５に左右に離れて一対の係合口２４５が形成されており、この係合口２４５に係止される一対の係合子２７１が底面スペーサ板７０に左右に離れて固設されている。係合口２４５は、図１２に示すように、円形状の大開口２４６と、この大開口２４６に繋がってこの径より小さな幅で延びる小開口２４７とからなる。係合子２７１は、円筒状の基部２７２と、基部２７２の先端部に設けられた外径側に突出するフランジ状の係止突起部２７３とから構成され、基部２７２および係止突起部２７３が十文字状に形成されたスリット２７２ａにより四分割されている。なお、基部２７２は小開口２４７の幅より若干小さく、フランジ状の係止突起部２７３の外径は大開口２４６より若干小さい。また、基部２７２の底面には雌ネジ２７５が形成されており、図１３に示すように、底面スペーサ板７０に貫通形成されたネジ孔７０ｄに挿入されたネジ２７７が雌ネジ２７５と螺合して底面スペーサ板７０に係合子２７１が結合固定されている。
【００３８】
このため、係合子２７１を大開口２４６内に突入させて底面スペーサ板７０を底面板３５の下面に接触させることができ、このとき係止突起部２７３は底面板３５の上面側に突出する。さらに、この状態のまま底面スペーサ板７０を長手方向にスライド移動させて係合子２７１の基部２７２を小開口２４７内に突入させることができ、このとき係止突起部２７３は底面板３５の上面側に突出したまま小開口２４７の上側に覆い被さって、底面スペーサ板７０を底面板３５の下面に接触した状態で係止保持させる。また、これと逆の操作を行うだけで底面スペーサ板７０を底面板３５の下面から簡単に取り外すことができる。このように、この実施形態によっても、底面スペーサ板７０の取り付けおよび取り外し操作を、手もしくは指作業のみにより（工具や締結具を用いることなく）非常に簡単に行うことができる。
【００３９】
なお、底面スペーサ板７０に、上記第１の実施形態の場合と同様に釘逃げ開口を設け、外枠３０を設置枠台に釘打ちして固定するときに底面スペーサ板７０に釘打ち穴が形成されないようにするのが好ましい。
【００４０】
上記第３の実施形態の変形例である第４の実施形態を図１４および図１５に示している。この実施形態では底面板３５には第３の実施形態と同一の一対の係合孔２４５が左右に離れて形成されており、この係合口２４５に係止される一対の係合子３７１が底面スペーサ板７０に左右に離れて固設されている。この実施形態では、係合子３７１のみが第３の実施形態と相違し、係合子３７１は円筒状の基部３７２と、基部３７２の先端部に設けられた外径側に突出するフランジ状の係止突起部３７３と、基部３７２の根本側に突出する雄ネジ部３７５とから構成される。
【００４１】
基部３７２は小開口２４７の幅より若干小さく、フランジ状の係止突起部３７３の外径は大開口２４６より若干小さい。また、底面スペーサ板７０には雄ネジ部３７５が螺合する雌ネジ７０ｅが形成されており、図１５に示すように、底面スペーサ板７０に貫通形成された雌ネジ７０ｅに雄ネジ部３７５を螺合させて側面スペーサ板７０に係合子３７１が結合固定されている。なお、このように係合子３７１を螺合させるために、円筒状の基部３７２の外周面に等間隔で４カ所に平面部３７２ａが形成されており、この平面部３７２ａにレンチを嵌め合わせて係合子３７１を回転させることができるようにしている。
【００４２】
このように底面スペーサ板７０に結合された係合子３７１を大開口２４６内に突入させて底面スペーサ板７０を底面板３５の下面に接触させることができ、このとき係止突起部３７３は底面板３５の上面側に突出する。さらに、この状態のまま底面スペーサ板７０を長手方向にスライド移動させて係合子３７１の基部３７２を小開口２４７内に突入させることができ、このとき係止突起部３７３は底面板３５の上面側に突出したまま小開口２４７の上側に覆い被さって、底面スペーサ板７０を底面板３５の下面に接触した状態で係止保持させる。また、これと逆の操作を行うだけで底面スペーサ板７０を底面板３５の下面から簡単に取り外すことができる。このように、この実施形態によっても、底面スペーサ板７０の取り付けおよび取り外し操作を、手もしくは指作業のみにより（工具や締結具を用いることなく）非常に簡単に行うことができる。
【００４３】
次に、側面スペーサ板５０を右枠板３３に着脱自在に取り付ける構成について説明する。なお、側面スペーサ板５０を右枠板３３の外側面に取り付けた状態を図７に示しており、右枠板３３の外側面に取り付けられた側面スペーサ板５０は、右枠板３３より前方に突出して保護縁部５８（図５（Ｂ）に示す二点鎖線５８ｃより前側の部分）を形成する。このため、側面スペーサ板５０が右枠板３３に取り付けられた状態で保護縁部５８は外枠３０に対して露出する。このように露出する保護縁部５８の露出側面５８ａおよび露出前面５８ｂのうち、露出側面５８ａは、図１６（Ａ）に示すように、外枠３０にヒンジ機構３ａ，３ｂにより開閉自在に取り付けられた前枠２が閉鎖状態のときに、前枠２の側面２ａにより覆われる。
【００４４】
このことから分かるように、前枠２が外枠３０の前面開放領域を覆う位置で施錠装置４により施錠されて閉鎖状態で保持されたときには、外枠３０に取り付けられた側面スペーサ板５０の保護縁部５８が前枠２の右側面２ａを覆い、前枠２の右側面２ａに設けられる施錠装置４等を保護する。これにより、外部から施錠装置４に対する不正操作等を防止することができる。なお、前枠２が開放されたときには露出側面５８ａは露出するため、この露出側面５８ａおよび露出前面５８ｂに位置合わせマーク、施錠装置４の位置マークなどが表示される。すなわち、この例では、保護縁部５８の露出側面５８ａおよび露出前面５８ｂを位置合わせマーク等の表示部として機能させている。
【００４５】
さらに、図１６（Ａ）に示すように、露出側面５８ａを左側に若干突出させて右枠板３３の前端面に被さるようにして、前枠２の右側面２ａとの隙間をできる限り小さくするのが好ましい。この場合、露出側面５８ａは前枠２の右側面２ａと近接するが、前枠２の開閉移動時に干渉しないように、図示のように前枠２の右側面２ａと露出側面５８ａとの間に隙間が設けられている。また、図１６（Ｂ）に示すように、露出側面５８ａおよび露出前面５８ｂに保護シート５９を貼付しても良い。この保護シート５９は左側に若干突出して図１６（Ａ）と同一の外形形状となり、且つ保護シート５９の表面に上述した位置合わせマーク等が表示される。
【００４６】
図１６に示すように側面スペーサ板５０を右枠板３３の外側面に取り付ける構成の第１実施形態を図１７に示している。この構成は、図５（Ｂ）に示すように、右枠板３３の内側面に上下に所定間隔を置いて取り付けられた一対の受け金具４０，４０にそれぞれ取り付けられた係合ボルト５７と、側面スペーサ板５０に上下に所定間隔をおいて形成された係合雌ネジ５１とを備える。
【００４７】
受け金具４０は金属板材から作られ、右枠板３３の内側面にビス４１ｂ，４１ｂにより固定された基部４１と、基部４１の下端に繋がって横に延びた連結部４２と、連結部４２の先端から上方に延びた支持部４３とから構成される。支持部４３に形成された支持孔４３ａに挿入されて基部４１に形成されたネジ孔４１ａに螺合して係合ボルト５７が取り付けられており、係合ボルト５７のネジ部５７ａが右枠板３３に形成された挿入孔３３ａ（図１９参照）内に突入している。このため、係合ボルト５７は受け金具４０に常時取り付けられた状態となり、従来のようにボルト・ナットを別途用意して管理する必要がなく、係合ボルト５７を紛失するおそれもない。なお、後述するようにそのネジ部５７ａにフック部材６０が係止される。
【００４８】
右枠板３３の外側面に側面スペーサ板５０を取り付けるときには、係合ボルト５７を回してネジ孔４１ａとの螺合に応じてネジ部５７ａの先端部を挿入孔３３ａから外側面側に突出させる。このとき、ネジ部５７ａは側面スペーサ板５０に形成された係合雌ネジ５１と螺合し、側面スペーサ板５０を係合ボルト５７により締結して右枠板３３の側面に取り付ける。なお、このように係合ボルト５７により側面スペーサ板５０を締結した状態において、係合ボルト５７のヘッド部は支持部４３の外側に位置し、ネジ部５７ａの根本側は支持部４３から基部４１の間に延びて位置する。
【００４９】
一方、前枠２の右端内部には、図２０に示すように、フック部材６０が前枠２に対して支持ピン６１を中心として揺動自在に取り付けられ、フック部材６０の先端にはテーパ面６０ｂを有したフック部６０ａが形成されている。また、フック部材６０の基端には連結ピン６２ａを介して上下に延びる連結桿６２が枢結されている。連結桿６２は、施錠装置４の鍵穴４ａに差し込んだキーを図１において時計回りに回して上方に移動させることができるようになっている。図２０においては、前枠２が外枠３０の前面を覆って閉鎖状態となったときのフック部材６０の位置を実線で示しており、このときにはフック部６０ａがネジ部５７ａと係合し、連結桿６２に作用する施錠バネ（図示せず）の付勢により係合状態で保持され、前枠２は閉鎖状態で保持される。
【００５０】
前枠２を開放するときには施錠装置４の鍵穴４ａに差し込んだキーを図１において時計回りに回して連結桿６２を上方に移動させ、フック部材６０を支持ピン６１を中心として反時計回りに回動させる。これによりフック部６０ａがネジ部５７ａから外れるので前枠２を手前に引き出せばヒンジ機構３ａ，３ｂを中心として回動させて開放することができる。このように開放した前枠２を閉鎖するには、これを押して閉鎖方向に回動させればよく、このとき、フック部６０ａの先端上面のテーパ面６０ｂがネジ部５７ａに当接して押し下げられてフック部６０ａが入り込み、ネジ部５７ａを通過したときに施錠バネの付勢により、図２０において実線で示す位置に戻されて、フック部６０ａがネジ部５７ａと係合し、前枠２は閉鎖状態で保持される。
【００５１】
以上の説明から分かるように、受け金具４０に螺合して取り付けられた係合ボルト５７のネジ部５７ａの先端部は側面スペーサ板５０の係合雌ネジ５１と螺合して側面スペーサ板５０を右枠板３３の外側面に固定保持する機能を有し、ネジ部５７ａの根本部はフック部６０ａと係合して前枠２を施錠保持する機能を有する。すなわち、係合ボルト５７は側面スペーサ板５０の取り付け保持とフック部６０との係合による施錠保持という二つの機能を果たす。
【００５２】
図１７に示した第１実施形態に係る構成の変形例を図１８に示している。この例では、受け金具４０′の支持部４３に上方に開放したＵ字開口４３ｂが設けられており、このＵ字開口４３ｂ内に係合ボルト５７のネジ部５７ａが受容保持される構成が図１７の構成と相違する。さらに、図１８の構成では、側面スペーサ板５０に、係合部材５２が取り付けられる構成が図１７の構成と相違する。係合部材５２は、円盤状のフランジ部５３と、これに繋がった円筒状のボス部５４とからなり、ボス部５４内にネジ部５７ａと螺合する係合雌ネジ５４ａが形成されている。係合部材５２は、ボス部５４が側面スペーサ板５０に形成された取り付け孔５０ａに挿入されるとともに、フランジ部５３に形成されたネジ孔５３ａにビスをねじ込んで、図１９（Ｂ）に示すように側面スペーサ板５０に固定されている。
【００５３】
この構成において、右枠板３３に側面スペーサ板５０を取り付けるときにも、係合ボルト５７を回してネジ孔４１ａとの螺合に応じてネジ部５７ａの先端部を挿入孔３３ａから外側面側に突出させる。このとき、ネジ部５７ａはボス部５４に形成された係合雌ネジ５４ａと螺合し、側面スペーサ板５０を係合ボルト５７により締結して右枠板３３の側面に取り付ける。なお、このとき、フランジ部５３が右枠板３３と干渉しないように、右枠板３３に凹部３３ｂが形成されており、フランジ部５３は凹部３３ｂ内に受容される。
【００５４】
側面スペーサ板５０を右枠板３３の外側面に取り付ける構成の第２実施形態を図２１〜２３に基づいて説明する。この構成は、図５（Ｂ）に示した第１実施形態の構成と同様に、右枠板３３の内側面に上下に所定間隔を置いて取り付けられた一対の受け金具１４０，１４０にそれぞれ取り付けられた係合ボルト１５７と、側面スペーサ板５０に上下に所定間隔をおいて形成された係合雌ネジ５１とを備える。
【００５５】
受け金具１４０は金属板材から作られ、右枠板３３の内側面にビス１４１ｂ，１４１ｂにより固定された基部１４１と、基部１４１の側端に繋がって横に延びた係止部１４２と、係止部１４２の先端において折り曲げられた折り曲げ部１４３とから構成される。基部１４１に形成されたネジ孔１４１ａに螺合して係合ボルト１５７が取り付けられており、係合ボルト１５７のネジ部１５７ａが右枠板３３に形成された挿入孔３３ａ（図２２参照）内に突入している。このため、係合ボルト１５７は受け金具１４０に常時取り付けられた状態となり、従来のようにボルト・ナットを別途用意して管理する必要がなく、係合ボルト１５７を紛失するおそれもない。
【００５６】
右枠板３３の外側面に側面スペーサ板５０を取り付けるときには、係合ボルト１５７を回してネジ孔１４１ａとの螺合に応じてネジ部１５７ａの先端部を挿入孔３３ａから外側面側に突出させる。このとき、ネジ部１５７ａは側面スペーサ板５０に形成された係合雌ネジ５１と螺合し、側面スペーサ板５０を係合ボルト１５７により締結して右枠板３３の側面に取り付ける（図２２において二点鎖線で示す状態）。
【００５７】
第１実施形態と同様に、前枠２の右端内部には、図２３に示すように、フック部材６０が前枠２に対して揺動自在に取り付けられ、フック部材６０の先端のブック部６０ａが受け金具１４０の係止部１４２と係止して前枠２を外枠３０の前面を覆った閉鎖状態で保持するようになっている。なお、このフック部材６０の構成および作動は第１実施形態と同一であるのでその説明は省略する。
【００５８】
上述の第２実施形態に係る構成の変形例として、側面スペーサ板５０に、係合雌ネジ５１を設ける代わりに、係合部材５２を取り付けても良い。この係合部材５２は図１８に示したものと同一であり、円盤状のフランジ部５３と、これに繋がった円筒状のボス部５４とからなり、ボス部５４内にネジ部１５７ａと螺合する係合雌ネジ５４ａが形成されている。
【００５９】
この構成において、右枠板３３に側面スペーサ板５０を取り付けるときにも、係合ボルト１５７を回してネジ孔１４１ａとの螺合に応じてネジ部１５７ａの先端部を挿入孔３３ａから外側面側に突出させる。このとき、ネジ部１５７ａはボス部５４に形成された係合雌ネジ５４ａと螺合し、側面スペーサ板５０を係合ボルト１５７により締結して右枠板３３の側面に取り付ける。なお、このとき、フランジ部５３が右枠板３３と干渉しないように、右枠板３３に凹部３３ｂが形成されており、フランジ部５３は凹部３３ｂ内に受容される。
【００６０】
側面スペーサ板５０を右枠板３３の外側面に取り付ける構成の第３実施形態を図２４および図２５に基づいて説明する。この構成も、図５（Ｂ）に示した第１実施形態の構成と同様に、右枠板３３の内側面に上下に所定間隔を置いて取り付けられた一対の受け金具２４０，２４０にそれぞれ取り付けられた係合ボルト２５７と、側面スペーサ板５０に上下に所定間隔をおいて形成された係合雌ネジ５１とを備える。
【００６１】
受け金具２４０は金属板材から作られ、右枠板３３の内側面にビス２４１ｂ，２４１ｂにより固定された基部２４１と、基部２４１の側端に繋がって横に延びた係止部２４２と、基部２４１の中間部においてＵ字状に折り曲げられて右枠板３３に形成された開口３３ｃ内に突出するＵ字状部２４３とから構成される。Ｕ字状部２４３にネジ孔２４３ａが形成されるとともにこのネジ孔２４３ａに螺合して係合ボルト２５７が取り付けられている。このため、係合ボルト２５７は受け金具２４０に常時取り付けられた状態となり、従来のようにボルト・ナットを別途用意して管理する必要がなく、係合ボルト２５７を紛失するおそれもない。
【００６２】
右枠板３３の外側面に側面スペーサ板５０を取り付けるときには、係合ボルト２５７を回してネジ孔２４３ａとの螺合に応じてネジ部２５７ａの先端部を右枠板３３の外側面側に突出させる。このとき、ネジ部２５７ａは側面スペーサ板５０に形成された係合雌ネジ５１と螺合し、側面スペーサ板５０を係合ボルト２５７により締結して右枠板３３の側面に取り付ける（図２５において二点鎖線で示す状態）。
【００６３】
第１実施形態と同様に、前枠２の右端内部にはフック部材６０が前枠２に対して揺動自在に取り付けられ、フック部材６０の先端のブック部６０ａが受け金具２４０の係止部２４２と係止して前枠２を外枠３０の前面を覆った閉鎖状態で保持するようになっている。なお、このフック部材６０の構成および作動は第１実施形態と同一であるのでその説明は省略する。
【００６４】
上述の第３実施形態に係る構成の変形例として、側面スペーサ板５０に、係合雌ネジ５１を設ける代わりに、係合部材５２を取り付けても良い。この係合部材５２は図１８に示したものと同一であり、円盤状のフランジ部５３と、これに繋がった円筒状のボス部５４とからなり、ボス部５４内にネジ部２５７ａと螺合する係合雌ネジ５４ａが形成されている。
【００６５】
この構成において、右枠板３３に側面スペーサ板５０を取り付けるときにも、係合ボルト２５７を回してネジ孔２４３ａとの螺合に応じてネジ部２５７ａの先端部を右枠板３３の外側面側に突出させる。このとき、ネジ部２５７ａはボス部５４に形成された係合雌ネジ５４ａと螺合し、側面スペーサ板５０を係合ボルト２５７により締結して右枠板３３の側面に取り付ける。
【００６６】
以上においては、外枠の右枠板の側面に側面スペーサ板を取り付けているがこれを左枠板の側面に取り付けても良く、同様に底面スペーサ板を上面スペーサ板として用いて上枠板の上面に取り付けても良い。
【００６７】
【発明の効果】
以上説明したように、本発明によれば、外枠における上下いずれか一方の外面および左右いずれか一方の外側面にそれぞれ所定厚さのスペーサ板を取り付けて、弾球遊技機を外枠の外郭サイズより大きなサイズの収容部を有した設置枠台（例えば、通称「関西枠」）に取り付けることができるように構成されており、左右いずれか一方の側縁部において外枠に取り付けられて前枠に設けられた施錠装置のフック部材と係止する係合ボルト（これは受け金具に取り付けられている）が、外枠の外側面に突出してスペーサ板に設けられた係合部と係合して、外枠に側面スペーサ板を着脱自在に取り付けるようになっているので、側面スペーサ板の着脱が非常に簡単である。さらに、受け金具に取り付けられた係合ボルトを用いるので、従来のようにボルト・ナットを別途管理する必要がなくボルト・ナットを紛失したりするという問題はない。また、このように係合ボルトを係合部と係合させるだけで側面スペーサ板の着脱を行う構成であるため、側面スペーサ板の取り付けに釘等を使用する必要がなく、側面スペーサ板の再利用が容易である。また、フック部材は係合ボルトに係止されることにより受け金具に係止され、前枠が外枠に閉鎖状態で保持されるように構成されており、この係合ボルトは、側面スペーサ板の取り付け保持とフック部材との係合による施錠保持という二つの機能を果たすようになっている。
【図面の簡単な説明】
【図１】  本発明に係る弾球遊技機の代表例としてのパチンコ機を示す正面図である。
【図２】  上記パチンコ機の背面図である。
【図３】  上記パチンコ機を構成する前枠および外枠の正面図である。
【図４】  上記外枠とこれに取り付けられる側面スペーサ板および底面スペーサ板を示す斜視図である。
【図５】  上記外枠とこれに取り付けられる側面スペーサ板および底面スペーサ板を示す平面図および側面図である。
【図６】  外枠の底面板に底面スペーサ板を取り付ける構成の第１の実施形態において上記外枠に底面スペーサ板を着脱自在に取り付ける係合口および係合子を示す斜視図である。
【図７】  外枠の底面板に底面スペーサ板を取り付ける構成の第１の実施形態において上記外枠と底面スペーサ板とを係合口および係合子により着脱自在に取り付ける構成を示す平面部分断面図である。
【図８】  外枠の底面板に底面スペーサ板を取り付ける構成の第１の実施形態において上記外枠と底面スペーサ板および設置枠台とを示す断面図である。
【図９】  外枠の底面板に底面スペーサ板を取り付ける構成の第２の実施形態において上記外枠と底面スペーサ板とを係合口および係合子により着脱自在に取り付ける構成を示す斜視図である。
【図１０】  外枠の底面板に底面スペーサ板を取り付ける構成の第２の実施形態において上記外枠に底面スペーサ板を取り付けた構成を示す断面図および係合子を示す平面図である。
【図１１】  外枠の底面板に底面スペーサ板を取り付ける構成の第３の実施形態において上記外枠に底面スペーサ板を着脱自在に取り付けるための係合子を示す斜視図である。
【図１２】  外枠の底面板に底面スペーサ板を取り付ける構成の第３の実施形態において上記外枠に形成される係合口の断面図および底面スペーサ板に取り付けられる係合子を示す背面図である。
【図１３】  外枠の底面板に底面スペーサ板を取り付ける構成の第３の実施形態において上記外枠に底面スペーサ板を取り付けた構成を示す断面図である。
【図１４】  外枠の底面板に底面スペーサ板を取り付ける構成の第４の実施形態において上記外枠と底面スペーサ板とを係合口および係合子により着脱自在に取り付ける構成を示す斜視図である。
【図１５】  外枠の底面板に底面スペーサ板を取り付ける構成の第４の実施形態において上記外枠に底面スペーサ板を取り付けた構成を示す断面図である。
【図１６】  外枠の右枠板に側面スペーサ板を取り付けた構成を示す断面図である。
【図１７】  外枠の右枠板に側面スペーサ板を取り付ける構成の第１の実施形態において上記外枠と側面スペーサ板とを係合口および係合子により着脱自在に取り付ける構成を示す斜視図である。
【図１８】  外枠の右枠板に側面スペーサ板を取り付ける構成の第１の実施形態の変形例において上記外枠と側面スペーサ板とを係合口および係合子により着脱自在に取り付ける構成を示す斜視図である。
【図１９】  外枠の右枠板に側面スペーサ板を取り付ける構成の第１の実施形態において上記外枠と側面スペーサ板とを係合口および係合子により着脱自在に取り付ける構成を示す断面図である。
【図２０】  外枠の右枠板に側面スペーサ板を取り付ける構成の第１の実施形態において上記外枠と側面スペーサ板とを係合口および係合子により着脱自在に取り付ける構成を示す部分断面側面図である。
【図２１】  外枠の右枠板に側面スペーサ板を取り付ける構成の第２の実施形態において上記外枠と側面スペーサ板とを係合口および係合子により着脱自在に取り付ける構成を示す斜視図である。
【図２２】  外枠の右枠板に側面スペーサ板を取り付ける構成の第２の実施形態において上記外枠と側面スペーサ板とを係合口および係合子により着脱自在に取り付ける構成を示す断面図である。
【図２３】  外枠の右枠板に側面スペーサ板を取り付ける構成の第２の実施形態において上記外枠と側面スペーサ板とを係合口および係合子により着脱自在に取り付ける構成を示す部分断面側面図である。
【図２４】  外枠の右枠板に側面スペーサ板を取り付ける構成の第３の実施形態において上記外枠と側面スペーサ板とを係合口および係合子により着脱自在に取り付ける構成を示す斜視図である。
【図２５】  外枠の右枠板に側面スペーサ板を取り付ける構成の第３の実施形態において上記外枠と側面スペーサ板とを係合口および係合子により着脱自在に取り付ける構成を示す断面図である。
【符号の説明】
２  前枠
４  施錠装置
５  ガラス扉
１０  遊技盤
３０  外枠
３１  上枠板
３２  左枠板
３３  右枠板
３４  下枠板
３５  底面板
３６  幕板
４０，１４０，２４０  受け金具
４５，１４５，２４５  係合孔
５０  側面スペーサ板
６０  フック部材
７０  底面スペーサ板
７１，１７１，２７１，３７１  係合子
【図１】
0003797878.tif 000002
【図２】
0003797878.tif 000003
【図３】
0003797878.tif 000004
【図４】
0003797878.tif 000005
【図５】
0003797878.tif 000006
【図６】
0003797878.tif 000007
【図７】
0003797878.tif 000008
【図８】
0003797878.tif 000009
【図９】
0003797878.tif 000010
【図１０】
0003797878.tif 000011
【図１１】
0003797878.tif 000012
【図１２】
0003797878.tif 000013
【図１３】
0003797878.tif 000014
【図１４】
0003797878.tif 000015
【図１５】
0003797878.tif 000016
【図１６】
0003797878.tif 000017
【図１７】
0003797878.tif 000018
【図１８】
0003797878.tif 000019
【図１９】
0003797878.tif 000020
【図２０】
0003797878.tif 000021
【図２１】
0003797878.tif 000022
【図２２】
0003797878.tif 000023
【図２３】
0003797878.tif 000024
【図２４】
0003797878.tif 000025
【図２５】
0003797878.tif 000026